(57)【要約】  【課題】本体から電装品箱を取り外すことなく、固定側電装品部から基板を取り付けた非固定側電装品部を安全で簡単に開閉できるようにして、組立およびメンテナンスの作業性を向上させた空気調和機を提供する。  【解決手段】電装品箱６は、室内機本体に固定される固定側電装品部６ａと、開閉可能な非固定側電装品部６ｂとからなり、同非固定側電装品部６ｂには基板７と、端子板９が取り付けられており、太い線の多い配線１０関係が非固定側電装品部６ｂ内で配線できる構成となっている。また、固定側電装品部６ａの右側方奥部の上、下端部にスリット１１を設け、非固定側電装品部６ｂにはスリット１１に対向する位置に爪部１２を設け、固定側電装品部６ａに設けたスリット１１に、非固定側電装品部６ｂに設けた爪部１２を嵌め込むことにより、非固定側電装品部６ｂを支持し、且つ、開閉できるようにしている。【選択図】図３
2005188859.tif 000002
【特許請求の範囲】
【請求項１】
本体内に電装品箱を設け、同電装品箱内に基板と端子板を取り付けてなる空気調和機において、
前記電装品箱を固定側電装品部と非固定側電装品部とから構成するとともに、同非固定側電装品部に前記基板と端子板とを配設してなることを特徴とする空気調和機。
【請求項２】
前記固定側電装品部に、前記非固定側電装品部を多段階に支持できるような支持部を設けたことを特徴とする請求項１に記載の空気調和機。
【発明の詳細な説明】
【技術分野】
【０００１】
本発明は、空気調和機に係わり、より詳細には、組立およびメンテナンスの作業性を向上させた電装品箱の構造に関する。
【背景技術】
【０００２】
従来の空気調和機は、本体内の一側に熱交換器を設け、他側に板金製の電装品箱を設け、同電装品箱内に基板フレームに取り付けた基板を設けたもので、前記電装品箱の上下と前記基板フレームとに、前後に延びるレールおよび溝部からなるガイド部を設け、同ガイド部により、前記基板を取り付けた前記基板フレームを挿脱可能に収容した構成であった。本体から電装品箱を取り外すことなく、基板を取り付けた基板フレームを挿脱できるようにして、基板を取り外してメンテナンスの作業性を向上させた従来例がある（例えば、特許文献１参照）。
【０００３】
また、他の従来例の空気調和機として、図６（Ａ）および図６（Ｂ）で示すように、電装品箱６の一側にヒンジ２０を介して非固定側電装品部６ｂを設け、同非固定側電装品部６ｂに基板７を取り付けて開閉できるようにし、固定側電装品部６ａから非固定側電装品部６ｂを開けることにより、電装品箱６内を空気調和機を設置した状態で確認でき、メンテナンスの作業性を向上させた従来例がある。
【０００４】
しかしながら、前者においては、基板の確認はできるものの他の配線経路は前記電装品箱６内に収容されており、組立およびメンテナンスの作業性が悪いという問題を有していた。
また、後者においては、基板７と端子板９間の配線１０が非固定側電装品部６ｂと固定側電装品部６ａ間との配線１０となるため配線１０が長くなり、太い線が多いため配線が通し難い、閉じる時に線を引っ掛かけたり挟んだりするので開閉がし難いなどの問題を有していた。
【０００５】
【特許文献１】特開平１０−２６３６３号公報（第２−３頁、図１）
【発明の開示】
【発明が解決しようとする課題】
【０００６】
本発明においては、上記の問題点に鑑み、本体から電装品箱を取り外すことなく、固定側電装品部から基板を取り付けた非固定側電装品部を安全で簡単に開閉できるようにして、組立およびメンテナンスの作業性を向上させた空気調和機を提供することを目的とする。
【課題を解決するための手段】
【０００７】
本発明は上述の課題を解決するため、本体内に電装品箱を設け、同電装品箱内に基板と端子板を取り付けてなる空気調和機において、
前記電装品箱を固定側電装品部と非固定側電装品部とから構成するとともに、同非固定側電装品部に前記基板と端子板とを配設した構成となっている。
【０００８】
前記固定側電装品部に、前記非固定側電装品部を多段階に支持できるような支持部を設けた構成となっている。
【発明の効果】
【０００９】
以上のように本発明によると、本体から電装品箱を取り外すことなく、固定側電装品部から基板を取り付けた非固定側電装品部を安全で簡単に開閉できるようにして、組立およびメンテナンスの作業性を向上させた空気調和機となる。
【発明を実施するための最良の形態】
【００１０】
以下、本発明の実施の形態を、添付図面に基づいた実施例として詳細に説明する。
図１は本発明による空気調和機の説明図で、（Ａ）は空気調和機室内機の正面図で、（Ｂ）は（Ａ）で示すＡーＡ断面図であり、図２は本発明による空気調和機室内機の実施例を示す説明図で、要部拡大斜視図であり、図３は本発明による空気調和機室内機の電装部品箱を示す説明図で、要部拡大斜視図であり、図４は本発明による空気調和機室内機の電装部品箱を示す説明図で、要部分解斜視図であり、図５は本発明による空気調和機室内機の電装部品箱を、室内機本体の下面より見た説明図で、（Ａ）は非固定側電装品部の全閉状態を示す図で、（Ｂ）は非固定側電装品部を開き斜めに仮支持している図で、（Ｃ）は非固定側電装品部の全開状態を示す図である。
【実施例１】
【００１１】
本発明による空気調和機は、図１で示すように、１は空気調和機の室内機本体で、背面側パネル２と前面側パネル３と吸込グリル４とで外装体を構成している。図２は前記吸込グリル４を取り外した状態を示し、図において、５は前記本体１の一側に設けられた熱交換器、６は他側に設けられた板金製の電装品箱である。
【００１２】
図３は本発明の前記電装品箱６を示しており、同電装品箱６は２分割されており、前記室内機本体１に固定される固定側電装品部６ａと、後述する開閉可能な構造により前記固定側電装品部６ａの右側方に取り付けられる非固定側電装品部６ｂとから構成されている。
【００１３】
図４は前記電装品箱６の分解斜視図であり、図において、電子回路部品等を配設した基板７が、基板ホルダ８に取り付けられ、前記基板７を取り付けた前記基板ホルダ８を前記非固定側電装品部６ｂにネジ止めしている。また、前記非固定側電装品部６ｂの前面には端子板９が取り付けられ、前記非固定側電装品部６ｂに前記基板７と前記端子板９が取り付けられている構成となり、図３で示すとおり、太い線の多い配線１０関係が前記非固定側電装品部６ｂ内で配線できるようになって、配線作業がし易くなる。
【００１４】
また、前記固定側電装品部６ａには、他の回路部品であるトランス１４、キャパシタ１５、リレー１６等の比較的大きく重量のある部品が主に取り付けられており、前記非固定側電装品部６ｂの負担を軽減している。前記固定側電装品部６ａと前記非固定側電装品部６ｂに前記基板７および他の回路部品等が分散されているので、メンテナンス時の前記基板７および他の回路部品等の交換作業が容易となる。
【００１５】
そして、前記固定側電装品部６ａに前記非固定側電装品部６ｂを取り付け後、前記固定側電装品部６ａの前方より端子板９等を覆う蓋１３が取り付けられる。前述したように前記電装品箱６を構成する前記固定側電装品部６ａと前記非固定側電装品部６ｂと前記蓋１３の材料は夫々板金でできており、同板金で前記電装品箱６を覆うようにしている。
【００１６】
次に、前記固定側電装品部６ａの右側方に取り付けられる前記非固定側電装品部６ｂを多段階に支持できる支持部の構造について、図３を使って説明する。
前記固定側電装品部６ａの右側方奥部の上、下端部に、スリット入口部１１ａを奥部より手前を広くして傾斜させた傾斜部１１ｂを形成したスリット１１を設け、前記非固定側電装品部６ｂには前記スリット１１に対向する上、下端部の位置に夫々外方向に延出する爪部１２を、前記スリット入口部１１ａの傾斜部１１ｂと対応するように少しだけ斜めに傾斜させて設け、前記固定側電装品部６ａに設けたスリット１１に、前記非固定側電装品部６ｂに設けた爪部１２を嵌め込み支持できるようにした構成となっている。
【００１７】
図５（Ａ）、図５（Ｂ）および図５（Ｃ）は室内機本体１の下面（底部）より見た図で、前記非固定側電装品部６ｂを前記固定側電装品部６ａから開き支持する方法について説明する。図５（Ａ）は全閉状態を示している図で、前記非固定側電装品部６ｂの爪部１２が前記固定側電装品部６ａのスリット１１に収まって閉じられている。図５（Ｂ）は前記非固定側電装品部６ｂを開き斜めに仮支持している図で、前記非固定側電装品部６ｂを少し前面方向（図では上方）へ引き出し前記スリット入口部１１ａの傾斜部１１ｂに、前記非固定側電装品部６ｂの爪部１２を平行させ背面側に開くことにより、前記爪部１２の端縁部と前記スリット１１の端縁部とが接触し、前記スリット１１の端縁部がストッパとなりその摩擦力により前記非固定側電装品部６ｂを斜めに仮支持することができる。
【００１８】
また、図５（Ｃ）は前記非固定側電装品部６ｂを全開して支持している図で、前記非固定側電装品部６ｂを背面側（図では右下方向）に開き、前記非固定側電装品部６ｂの爪部１２を前記スリット入口部１１ａで、（図では）水平方向になるようにすることにより、前記爪部１２の端縁部と前記スリット１１の端縁部とが接触し、前記スリット入口部１１ａ上方の前記傾斜部１１ｂがストッパとなりその摩擦力により前記非固定側電装品部６ｂを支持することができ、前記非固定側電装品部６ｂを前記固定側電装品部６ａから開き支持することが可能となる。
【００１９】
上記のように簡単な支持部構造で、前記非固定側電装品部６ｂを前記固定側電装品部６ａに容易に取付けでき、必要に応じては取り外しもでき、かつ、前記非固定側電装品部６ｂを前記固定側電装品部６ａから開き支持することが可能となり、コスト的に有利な、組立およびメンテナンスの作業性を向上できるようにした構造となる。
【００２０】
また、前記非固定側電装品部６ｂを前記固定側電装品部６ａに閉じる時には、上記方法と逆に行えばよく、前記非固定側電装品部６ｂに前記基板７と端子板９が取り付けられて、太い線の多い配線１０関係が前記非固定側電装品部６ｂ内で配線１０できているため、前記非固定側電装品部６ｂを前記固定側電装品部６ａに閉じる時に配線を引っ掛かけたり挟んだりしないでので、安全で簡単に閉じることができる。
【００２１】
以上の構成により、基板の確認はできるものの他の配線経路は電装品箱内に収容されており、組立およびメンテナンスの作業性が悪いという問題を無くすことができる。
また、基板７と端子板９間の配線１０が長くなり、太い線が多いため配線が通し難い、閉じる時に線を引っ掛かけたり挟んだりするので開閉がし難いなどの問題をなくすことができ、組立およびメンテナンスの作業性を向上できるようにした電装品箱を有する空気調和機となる。
【図面の簡単な説明】
【００２２】
【図１】本発明による空気調和機の説明図で、（Ａ）は空気調和機室内機の正面図であり、（Ｂ）は（Ａ）で示すＡーＡ断面図である。
【図２】本発明による空気調和機室内機の実施例を示す説明図で、要部拡大斜視図である。
【図３】本発明による空気調和機室内機の電装部品箱を示す説明図で、要部拡大斜視図である。
【図４】本発明による空気調和機室内機の電装部品箱を示す説明図で、要部分解斜視図である。
【図５】本発明による空気調和機室内機の電装部品箱を、室内機本体の下面より見た説明図で、（Ａ）は非固定側電装品部の全閉状態を示す図であり、（Ｂ）は非固定側電装品部を開き斜めに仮支持している図であり、（Ｃ）は非固定側電装品部の全開状態を示す図である。
【図６】従来例による空気調和機の説明図で、（Ａ）は要部拡大斜視図であり、（Ｂ）は非固定側電装品部を開いた状態を示す要部拡大斜視図である。
【符号の説明】
【００２３】
１  空気調和機の室内機本体
２  背面側パネル
３  前面側パネル
４  吸込グリル
５  熱交換器
６  電装品箱
６ａ  固定側電装品部
６ｂ  非固定側電装品部
７  基板
８  基板ホルダ
９  端子板
10  配線
11  スリット
11ａ  スリット入口部
11ｂ  傾斜部
12  爪部
13  蓋
14  トランス
15  キャパシタ
16  リレー
【図１】
2005188859.tif 000003
【図２】
2005188859.tif 000004
【図３】
2005188859.tif 000005
【図４】
2005188859.tif 000006
【図５】
2005188859.tif 000007
【図６】
2005188859.tif 000008